(57)【要約】【目的】本発明は、コイルへの通電を維持することなくプッシュロッドの突出状態を維持させる為に、ソレノイドにロータリーカムロック構造を内蔵させることで、コイルへの短時間の給電のみでプッシュロッドの突出状態を維持する事ができるソレノイドを提供することを目的とするものである。【構成】本発明は、ノックカム、ロックスリーブ、スプリング及びカムロッドから形成されるカム機構部を上カバー及び下カバーで支持したロータリーカムロック機構部と、プランジャー及びプランジャーを受けるための固定鉄芯を内包したボビン、ボビンに巻き付けられた捲き線、ボビンを内包するフレーム、ボビン上部に取り付けられたプレート及びスプリングからなる起磁力機構部と、前記ロータリーカムロック機構部と起磁力機構部をプランジャー連結バーで連結することでソレノイド内にロータリーカムロック機構を内蔵したことを特徴とする状態維持機能付きソレノイドの構成とした。【選択図】図１
2004319906.tif 000002
【特許請求の範囲】
【請求項１】
ノックカム、ロックスリーブ、スプリング及びカムロッドから形成されるカム機構部を上カバー及び下カバーで支持したロータリーカムロック機構部と、プランジャー及びプランジャーを受けるための固定鉄芯を内包したボビン、ボビンに巻き付けられた捲き線、ボビンを内包するフレーム、ボビン上部に取り付けられたプレート及びスプリングからなる起磁力機構部と、前記ロータリーカムロック機構部と起磁力機構部をプランジャー連結バーで連結することでソレノイド内にロータリーカムロック機構を内蔵したことを特徴とする状態維持機能付きソレノイド。
【発明の詳細な説明】
【０００１】
【発明の属する技術分野】
本発明は、ソレノイドの改良に関する発明である。
【０００２】
【従来の技術】
従来、ソレノイドは、コイル端子間への通電による起磁力で、プランジャーを吸引しプッシュロッドを突出させ、通電を停止する事により、プッシュロッドを収納する。図２０及び図２１は従来のソレノイドを示した図である。以下に図２０及び図２１を基に従来のソレノイドを説明する。
【０００３】
図２０に示すように、従来のソレノイド２５は、フレーム２５ａとフレーム２５ａに内包されたボビン３１とボビン３１に巻き付けられた捲き線３１ａとボビン３１内に内包されたプランジャー２８及びプッシュロッド２９とプッシュロッド２９を固定する固定鉄芯３０とボビン上部に取り付けられたプレート２７及びスプリング２６から形成されている。
【０００４】
図２０は、プッシュロッド２９が収納されている状態を示しているが、このようにプッシュロッド２９を収納状態とする場合にはコイルへの給電を止める事により、スプリング２６の反力でプッシュロッド２９は収納状態となる。
【０００５】
また、図２１に示すようにプッシュロッド２９を突出状態とする場合には、コイルへ通電させる事により、矢印３２に示した起磁力による磁路が発生し、それによりプランジャー２８が吸引され、プッシュロッド２９が突出する。このままプッシュロッド２９の突出状態を維持するためには、コイルへの給電を維持しなければならない。
【０００６】
プッシュロッド２９の突出状態を解除し、収納状態とする場合、コイルへの給電を止める事により、起磁力が停止し、プランジャー２８がスプリング２６の反力により、収納状態となる。
【０００７】
【発明が解決しようとする課題】
しかしながら、前記した通り従来のソレノイドでは、プッシュロッドの突出状態を維持するためにはコイルへの通電を供給する必要性があるが、コイルへの通電を持続させると、発熱による抵抗値の上昇により、電流量が低下し、吸着力が時間の経過とともに低下してゆく。
【０００８】
さらに、通電を持続させるためには、多くの電流を消費することになる。
【０００９】
そこで、本発明はコイルへの通電を維持することなくプッシュロッドの突出状態を維持させる為に、ソレノイドにロータリーカムロック構造を内蔵させることで、コイルへの短時間の給電のみでプッシュロッドの突出状態を維持する事ができるソレノイドを提供することを目的とするものである。
【００１０】
【課題を解決するための手段】
本発明は、上記の課題を解決するために、ノックカム、ロックスリーブ、スプリング及びカムロッドから形成されるカム機構部を上カバー及び下カバーで支持したロータリーカムロック機構部と、プランジャー及びプランジャーを受けるための固定鉄芯を内包したボビン、ボビンに巻き付けられた捲き線、ボビンを内包するフレーム、ボビン上部に取り付けられたプレート及びスプリングからなる起磁力機構部と、前記ロータリーカムロック機構部と起磁力機構部をプランジャー連結バーで連結することでソレノイド内にロータリーカムロック機構を内蔵したことを特徴とする状態維持機能付きソレノイドの構成とした。
【００１１】
【実施例】
以下に、添付図面に基づいて、本発明である状態維持機能付きソレノイドを詳細に説明する。図１から図１０は本発明である状態維持機能付きソレノイドの第１実施例を示す図である。
【００１２】
図１は本発明である状態維持機能付きソレノイドの縦断面図である。本発明である状態維持機能付きソレノイド１は、ノックカム２ａ、ロックスリーブ２ｂ、スプリング２ｃ、カムロッド２ｄからなるカム機構部２と上カバー３と下カバー４によりロータリーカムロック機構部１ａが構成され、スプリング５、プレート６、ボビン８、ボビン８に内包されるプランジャー７及びプランジャーを受ける固定鉄芯９、ボビン８に巻き付けられた捲き線８ａ、フレーム１０により起磁力機構部１ｂが構成され、前記ロータリーカムロック機構部１ａと起磁力機構部１ｂがプランジャー連結バー１１により連結されることでロータリーカムロック機構を内蔵した。尚、前記ロータリーカムロック機構部１ａ及び起磁力機構部１ｂは隣り合った状態で設置されている。更に、上カバー３の上部にはノックカム２ａの真上の位置に手動ロック解除穴１２が穿設されている。
【００１３】
図２は、図１中に示したＡ−Ａ線に沿った横断面図である。図２は、状態維持機能付きソレノイド１のカムロッド２ｄが収納されている状態の横断面図である。図２に示すように、ロータリーカムロック機構部１ａは、カム機構部２を構成するカムロッド２ｄがロックスリーブ２ｂに内包され、ロックスリーブ２ｂは上カバー３及び下カバー４により支持されている。
【００１４】
また、起磁力機構部１ｂは、ボビン８内にプランジャー７が挿入され、ボビン８の周囲には捲き線８ａが巻き付けられ、前記捲き線８ａの巻き付けられたボビン８は、フレーム１０に覆われている。
【００１５】
図２に示す、カムロッド２ｄが収納されている状態の時、カムロッド２ｄの外周面に設けられた３つの突出部２ｅは、ロックスリーブ２ｂに設けられた６つの溝２ｆのうち３個所に嵌め込まれている。前記突出部２ｅが溝２ｆに嵌合することにより、ノックカム２ａのロック状態となる。
【００１６】
図３は、図１中に示したＡ−Ａ線に沿った横断面図であり、カムロッド２ｄが突出した状態である。図２に示したカムロッド２ｄが収納した状態と比べ、突出した状態では、カムロッド２ｄが６０度回転し、カムロッド２ｄの外周面に設けられた３つの突出部２ｅは、ロックスリーブ２ｂに設けられた溝２ｆのうち、収納した状態で嵌合されていた隣の溝２ｆに嵌合されている。
【００１７】
図４は、本発明である状態維持機能付きソレノイドの分解斜視図である。図４に示すように、本発明である状態維持機能付きソレノイド１は、ロータリーカムロック機構部１ａ及び起磁力機構部１ｂで構成されており、ロータリーカムロック機構部１ａ、起磁力機構部１ｂは、それぞれ複数の部品により形成されいている。
【００１８】
ロータリーカムロック機構部１ａは、カム機構部２と上カバー３としたカバー４から形成されている。前記カム機構部２は、ノックカム２ａ、ロックスリーブ２ｂ、スプリング２ｃ、カムロッド２ｄ、金属スリーブ２ｇの各部品から構成されている。各部品の組合せ方は、ロックスリーブ２ｂの上部からノックカム２ａを挿入し、ロックスリーブ２ｂの下部からカムロッド２ｄを挿入し、カムロッド２ｄの先端のシャフト部分に金属スリーブ２ｇを取り付け、金属スリーブ２ｇをスプリング２ｃ内に挿入する。
【００１９】
各部品を組み合わせたカム機構部２は下カバー４の溝に嵌合され、カム機構部２を勘合した下カバー４を覆うようにして、上カバー３を取り付ける。
【００２０】
起磁力機構部１ｂは、プランジャー７、スプリング５、プレート６、捲き線８ａの巻き付けられたボビン８、固定鉄芯９、フレーム１０の各部品から構成されて、プランジャー７の上部はプランジャー連結バー１１に差し込まれている。
【００２１】
各部品の組合せ方は、プランジャー７をスプリング５、プレート６、ボビン８の各中心に設けられた孔に挿入し、プランジャー７を受けるための固定鉄芯９をフレーム１０の底面に穿設された孔に差し込み固定し、フレーム１０内に嵌め込むようにして各部品を組み合わせたボビン８を取り付ける。
【００２２】
図５から図９は、本発明である状態維持機能付きソレノイドの使用状態の各段階を示した図である。図５から図９に添って本発明である状態維持機能付きソレノイドの使用状態の各段階を説明する。
【００２３】
図５は、本発明である状態維持機能付きソレノイドの使用状態の第１段階を示す図である。本第１段階は、電気の給電をしていない状態で、この時カムロッド２ｄは収納された状態にある。
【００２４】
図６は、本発明である状態維持機能付きソレノイドの使用状態の第２段階を示す図である。本第２段階ではプランジャーを吸引し、カムロッドを突出させる。状態維持機能付きソレノイド１に給電を行うと、起磁力機構部１ｂで起磁力により磁路が発生し、プランジャー７が固定鉄芯９内部まで吸引される。それに伴い、プランジャー７に連結されたプランジャー連結バー１１もプランジャー７と共に下方向に移動するため、ロータリーカムロック機構部１ａのノックカム２ａがプランジャー連結バー１１により下方向に押し込まれ、カムロッド２ｄが突出する。この時、ロックはされていない状態である。
【００２５】
図７は、本発明である状態維持機能付きソレノイドの使用状態の第３段階を示す図である。本第３段階ではカムロッドの突出状態を維持させる。前記第２段階で給電された状態維持機能付きソレノイド１は、カムロッド２ｄが突出状態にある。このまま給電を停止すると、起磁力機構部１ｂに発生していた起磁力による磁路が消滅する。すると、プランジャー７はスプリング５の反力により元の状態に引き上げられる。この時、プランジャー連結バー１１もプランジャー７と共に元の状態に引き上げられる。
【００２６】
第２段階で、プランジャー連結バー１１に押し込まれたノックカム２ａは、そのままロックされた状態となり、カムロッド２ｄが突出状態のまま維持される。但し、ロック状態にするために、第２段階でのカムロッド２ｄの突出よりも若干の戻りが生じる。
【００２７】
図８は、本発明である状態維持機能付きソレノイドの使用状態の第４段階を示す図である。本第４段階では、カムロッドの突出状態を解除する。第３段階でカムロッド２ｄの突出状態を維持させた状態維持機能付きソレノイド１において、カムロッド２ｄの突出状態を解除し、収納するためには、再度短時間の給電を行う。
【００２８】
第４段階で状態維持機能付きソレノイド１に再度給電を行うと、起磁力機構部１ｂ内で起磁力による磁路が発生し、それによりプランジャー７が固定鉄芯９内部まで吸引され、それと共にプランジャー連結バー１１も下方向に移動する。このように下方向に移動したプランジャー連結バー１１が、ロータリーカムロック機構部１ａのノックカム２ａ上端をノックし、ロックが解除された状態となる。
【００２９】
図９は、本発明である状態維持機能付きソレノイドの使用状態の第５段階を示す図である。本第５段階では、第４段階で突出状態を解除されたカムロッドを収納状態にする。第４段階で短時間の給電を行い、プランジャー７が吸引された事で、ノックカム２ａのロック状態が解除された状態維持機能付きソレノイド１は、本第５段階で給電を停止すると、起磁力機構部１ｂ内の磁路が消滅し、プランジャー７がスプリング５の反力により元の状態に引き上げられる。
【００３０】
プランジャー７が引き上げられると共に、プランジャー連結バー１１も引き上げられ、第４段階でロックを解除されたノックカム２ａもロックスリーブ２ｂ内のスプリング２ｃの反力により、元の位置に引き上げられ、カムロッド２ｄが収納状態となる。
【００３１】
以上に説明したように、本発明である状態維持機能付きソレノイドは、使用状態の各段階のうち、ロータリーカムノック機構部１ａのノックカム２ａの上端をノックする第２段階及び第４段階において短時間の給電を行うだけで、カムロッド２ｄの突出及び収納の動作ができる。
【００３２】
図１０は、本発明である状態維持機能付きソレノイドの使用状態において、手動によるロック解除方法を示す図である。先に説明した本発明である状態維持機能付きソレノイドの使用状態中、給電を停止し、カムロッド２ｄの突出状態を維持した第３段階において、第４段階の給電を行わずに、手動でノックカム２ａのロックを解除することもできる。
【００３３】
図１０に示すように、手動でノックカム２ａのロックを解除するには、上カバー３の上部に穿設された手動ロック解除穴１２から棒状のロック解除キー１３を挿入し、ノックカム２ａをノックする。すると、ノックカム２ａのロックが解除され、カムロッド２ｄが収納される。
【００３４】
図１１から図１９は、本発明である状態維持機能付きソレノイドの第２実施例を示した図である。図１１から図１３は本発明である状態維持機能付きソレノイドの構造を示す図、図１４から図１９は本発明である状態維持機能付きソレノイドの使用状態を示す図である。
【００３５】
図１１は、本発明である状態維持機能付きソレノイドの第２実施例の縦断面図である。本第２実施例の状態維持機能付きソレノイド１４は、起磁力機構部１４ａにロータリーカムノック機構部１５を内蔵した、縦長の形状である。
【００３６】
状態維持機能付きソレノイド１４の起磁力機構部１４ａは、縦長の形状で周囲に捲き線１８ａを巻き付けたボビン１８、ボビン１８上部に取り付けられたプレート１７、ボビン１８内部の情報に取り付けられ内部にスプリング１６ａ及びワッシャー１６ｂが内蔵されたプランジャー１６、固定鉄芯２１、ボビンを内包するフレーム１９、ボビン１８とフレーム１９を仕切る絶縁テープ２０により構成されている。
【００３７】
また、ロータリーカムノック機構部１５は、起磁力機構部１４ａを構成するボビン１８の内部にプランジャー１６の下部に内蔵されている。ロータリーカムノック機構部１５は、ノックカム１５ａ、ロックスリーブ１５ｂ、スプリング１５ｃ、カムロッド１５ｄにより構成され、ロックスリーブ１５ｂ上部からノックカム１５ａが挿入され、ロックスリーブ１５ｂからスプリング１５ｃを挿入したカムロッド１５ｄが挿入されている。
【００３８】
ロータリーカムノック機構部１５のロックスリーブ１５ｂ上部から突出しているノックカム１５ａの上端は、プランジャー１６の底部に密着している。
【００３９】
図１２は、図１１中に示したＢ−Ｂ線に沿った本発明である状態維持機能付きソレノイドの第２実施例の横断面図である。図１２は、状態維持機能付きソレノイド１４のカムロッド１５ｄが収納している状態を示す。図１２に示すように、本発明である状態維持機能付きソレノイド１４は、周囲に捲き線１８ａが巻き付けられたボビン１８の内部にロータリーカムノック機構部１５が取り付けられている。
【００４０】
カムロッド１５ｄが収納状態の時、カムロッド１５ｄの周囲に設けられた３個所の突出部１５ｅは、ロックスリーブ１５ｂ内部に設けられた溝１５ｆに嵌合している。
【００４１】
図１３は、図１１中に示したＢ−Ｂ線に沿った横断面図で、状態維持機能付きソレノイド１４のカムロッド１５が突出している状態を示す図である。図１３に示すように、カムロッド１５ｄが突出状態にある場合、カムロッド１５ｄはカムロッド１５ｄの収納状態の時から６０度回転し、カムロッド１５ｄの周囲に設けられた突出部１５ｅは、ロックスリーブ１５ｂ内の溝１５ｆのうち、収納状態にある時の隣の溝１５ｆに嵌合される。
【００４２】
次に、図１４から図１８に基づき、本発明である状態維持機能付きソレノイドの第２実施例の使用状態を各段階ごとに説明する。
【００４３】
図１４は、本発明である状態維持機能付きソレノイドの第２実施例の使用状態の第１段階を示す図である。図１４に示すように、本第１段階は、状態維持機能付きソレノイド１４に給電をしていない状態で、この時カムロッド１５ｄは収納状態にある。
【００４４】
図１５は、本発明である状態維持機能付きソレノイドの第２実施例の使用状態の第２段階を示す図である。本第２段階は、状態維持機能付きソレノイド１４に給電を行い、カムロッド１５ｄを突出させる段階である。状態維持機能付きソレノイド１４に給電を行うと、起磁力機構部１４ａで起磁力による磁路２３が発生する。前記磁路２３の発生により、プランジャー１６が下方向に吸引される。プランジャー１６が下方向に吸引されたとき、プランジャー１６内に取り付けられたスプリング１６ａは延びた状態にある。
【００４５】
発生磁路２３によりプランジャー１６が下方向に吸引されると、プランジャー１６の底部に密着したノックカム１５ａはプランジャー１６によりロックスリーブ１５ｂ内に押し込まれノックされた状態にあり、それによりカムロッド１５ｄが突出する。この時ノックカム１５ａはロックされていない状態である。
【００４６】
図１６は、本発明である状態維持機能付きソレノイドの第２実施例の使用状態の第３段階を示す図である。第２段階において状態維持機能付きソレノイド１４に給電する事により、ノックカム１５ａが押し込まれ、カムロッド１５ｄが突出した。次に本第３段階では状態維持機能付きソレノイド１４への給電を停止する。すると、発生磁路２３が消滅するため、プランジャー１６の吸引は停止される。
【００４７】
しかしながら、この時、プランジャー１６内のスプリング１６ａの反力によりプランジャー１６は元に戻ることなく、スプリング１６ａが延びたままの状態となり、カムロッド１５ｄの突出状態が維持される。但し、この時ノックカム１５ａがロックされるために、若干の戻りが生じる。
【００４８】
図１７は、本発明である状態維持機能付きソレノイドの第２実施例の使用状態の第４段階を示す図である。カムロッド１５ｄの突出状態を解除するには、本第４段階で再び短時間の給電を行うことで起磁力機構部１４ａに磁路２３、２３ａを発生させ、プランジャー１６を吸引する。プランジャー１６が下方向に吸引されることで、ロータリーカムノック機構部１５のノックカム１５ａが押し込まれ、ノックされることで、ノックカム１５ａのロックが解除される。
【００４９】
図１８は、本発明である状態維持機能付きソレノイドの第２実施例の使用状態の第５段階を示す図である。第４段階で給電する事によりプランジャー１６が吸引され、ノックカム１５ａをノックすることでロックが解除された状態になり、本第５段階で給電を停止するとロータリーカムノック機構部１５に内蔵されたスプリング１５ｃの反力により、ノックカム１５ａが上方向に押し返され、それによりカムロッド１５ｄが収納状態となる。
【００５０】
以上に説明したように、本発明である状態維持機能付きソレノイドの第２実施例は、ノックカム１５ａをプランジャー１６によりノックする第２段階及び第４段階でのみ短時間の給電を行う事で、カムロッド１５ｄの収納及び突出の動作が可能となる。
【００５１】
図１９は、本発明である状態維持機能付きソレノイドの第２実施例の使用状態において、手動によるロック解除方法を示す図である。本発明である状態維持機能付きソレノイド１４の使用状態の各段階中、カムロッド１５ｄの突出状態が維持されているときに、給電を行わず、手動によりノックカム１５ａのロックを解除する事ができる。
【００５２】
手動でノックカム１５ａのロックを解除するには、ボビン１８の上部のプランジャー１６の真上の位置に穿設されている手動ロック解除穴２２に、棒状のロック解除キー２４を挿入し、プランジャー１６を押す事で、ノックカム１５ａのロックが解除され、カムロッド１５ｄを収納状態にする事ができる。
【００５３】
【発明の効果】
本発明である状態維持機能付きソレノイドは、以上に説明した様な構成であるから、以下の効果が得られる。第１に、カムロッドの突出状態を維持するために給電を維持する必要がないので、給電を続ける事で生じる吸着力の低下を防ぐことができる。
【００５４】
第２に給電を維持する必要がないために、吸着力の低下を防げることから、吸着力等の初期値で可動するため、ソレノイド自体の大きさを小さくすることが可能である。また、ソレノイド自体を小さくする事ができるので、住宅や車、金庫等幅広い範囲に応用することができる。
【００５５】
第３に、短時間の給電のみでカムロッドの突出状態を維持することができるので、従来品より消費電流を節約することができる。
【図面の簡単な説明】
【図１】本発明である状態維持機能付きソレノイドの縦断面図である。
【図２】本発明である状態維持機能付きソレノイドの横断面図である。
【図３】本発明である状態維持機能付きソレノイドの横断面図である。
【図４】本発明である状態維持機能付きソレノイドの分解斜視図である。
【図５】本発明である状態維持機能付きソレノイドの使用状態（第１段階）を示す縦断面図である。
【図６】本発明である状態維持機能付きソレノイドの使用状態（第２段階）を示す縦断面図である。
【図７】本発明である状態維持機能付きソレノイドの使用状態（第３段階）を示す縦断面図である。
【図８】本発明である状態維持機能付きソレノイドの使用状態（第４段階）を示す縦断面図である。
【図９】本発明である状態維持機能付きソレノイドの使用状態（第５段階）を示す縦断面図である。
【図１０】本発明である状態維持機能付きソレノイドの手動によるロック解除方法を示す縦断面図である。
【図１１】本発明である状態維持機能付きソレノイドの第２実施例の縦断面図である。
【図１２】本発明である状態維持機能付きソレノイドの第２実施例の横断面図である。
【図１３】本発明である状態維持機能付きソレノイドの第２実施例の横断面図である。
【図１４】本発明である状態維持機能付きソレノイドの第２実施例の使用状態（第１段階）を示す縦断面図である。
【図１５】本発明である状態維持機能付きソレノイドの第２実施例の使用状態（第２段階）を示す縦断面図である。
【図１６】本発明である状態維持機能付きソレノイドの第２実施例の使用状態（第３段階）を示す縦断面図である。
【図１７】本発明である状態維持機能付きソレノイドの第２実施例の使用状態（第４段階）を示す縦断面図である。
【図１８】本発明である状態維持機能付きソレノイドの第２実施例の使用状態（第５段階）を示す縦断面図である。
【図１９】本発明である状態維持機能付きソレノイドの第２実施例の手動によるロック解除方法を示す縦断面図である。
【図２０】従来のソレノイドを示す縦断面図である。
【図２１】従来のソレノイドを示す縦断面図である。
【符号の説明】
１          状態維持機能付きソレノイド
１ａ        ロータリーカムロック機構部
１ｂ        起磁力機構部
２          カム機構部
２ａ        ノックカム
２ｂ        ロックスリーブ
２ｃ        スプリング
２ｄ        カムロッド
２ｅ        突出部
２ｆ        溝
２ｇ        金属スリーブ
３          上カバー
４          下カバー
５          スプリング
６          プレート
７          プランジャー
８          ボビン
８ａ        捲き線
９          固定鉄芯
１０          フレーム
１１          プランジャー連結バー
１２          手動ロック解除穴
１３          ロック解除キー
１４          状態維持機能付きソレノイド
１４ａ                起磁力機構部
１５          ロータリーカムノック機構部
１５ａ        ノックカム
１５ｂ        ロックスリーブ
１５ｃ        スプリング
１５ｄ        カムロッド
１５ｅ        突出部
１５ｆ        溝
１６          プランジャー
１６ａ        スプリング
１６ｂ        ワッシャー
１７          プレート
１８          ボビン
１８ａ        捲き線
１９          フレーム
２０          絶縁テープ
２１          固定鉄芯
２２          手動ロック解除穴
２３、２３ａ  発生磁路
２４          ロック解除キー
２５          ソレノイド
２５ａ        フレーム
２６          スプリング
２７          プレート
２８          プランジャー
２９          プッシュロッド
３０          固定鉄芯
３１          ボビン
３１ａ        捲き線
【図１】
2004319906.tif 000003
【図２】
2004319906.tif 000004
【図３】
2004319906.tif 000005
【図４】
2004319906.tif 000006
【図５】
2004319906.tif 000007
【図６】
2004319906.tif 000008
【図７】
2004319906.tif 000009
【図８】
2004319906.tif 000010
【図９】
2004319906.tif 000011
【図１０】
2004319906.tif 000012
【図１１】
2004319906.tif 000013
【図１２】
2004319906.tif 000014
【図１３】
2004319906.tif 000015
【図１４】
2004319906.tif 000016
【図１５】
2004319906.tif 000017
【図１６】
2004319906.tif 000018
【図１７】
2004319906.tif 000019
【図１８】
2004319906.tif 000020
【図１９】
2004319906.tif 000021
【図２０】
2004319906.tif 000022
【図２１】
2004319906.tif 000023